(57)【要約】【課題】  ユーザに、番号や記号等の入力操作の手間を省くことが可能な電話装置を提供する。【解決手段】入力部から「０８５７１２３４５６ＰＰＰ９０１２＊＃」が入力され発呼操作が施されると（Ｓ０１ステップ）、入力された電話番号の部分「０８５７１２３４５６」を回線へ送出し（Ｓ０２ステップ）、相手先が応答すると（Ｓ０３ステップ）、ポーズの個数×３秒＝９秒の間待機する（Ｓ０５、Ｓ０６ステップ）。９秒が経過すると（Ｓ０６ステップのＹ）、ポーズに続いて入力された「９０１２＊＃」を回線へ送出する（Ｓ０８ステップ）。【選択図】  図２
2010200250.tif 000002
【特許請求の範囲】
【請求項１】
電話番号に続いてポーズと番号及び／又は記号が入力され、発信操作が行われると、電話番号を回線に送信し、続いて相手先が着信に応答したと判定すると、ポーズに対応する時間の間待機し、続いて前記入力された番号及び／又は記号を送出することを特徴とする電話装置。
【請求項２】
電話番号に続いてポーズと番号及び／又は記号を記憶可能な記憶手段と、当該記憶手段に記憶された電話番号と番号及び／又は記号を回線へ送出する回線送出手段と、相手先が着信に応答したか否か検出する応答検出手段を有し、
前記回線送出手段が前記記憶手段に記憶されている電話番号を送出し、続いて前記応答検出手段が相手先が着信に応答したことを検出すると、前記回線送出手段が、前記記憶手段に記憶されているポーズに対応する時間の経過後に自動的に前記記憶手段に記憶されている番号及び／又は記号を回線へ送出することを特徴とする電話装置。
【請求項３】
電話番号に続いてポーズと番号及び／又は記号を入力する入力手段と、当該入力手段により入力された電話番号と番号及び／又は記号を回線へ送出する回線送出手段と、相手先が着信に応答したか否か検出する応答検出手段を有し、
前記回線送出手段が、前記入力手段により入力された電話番号を送出し、続いて前記応答検出手段が相手先が着信に応答したことを検出すると、前記回線送出手段が、前記入力手段により入力されたポーズに対応する時間の経過後に自動的に前記ポーズに続く番号及び／又は記号を回線へ送出することを特徴とする電話装置。
【発明の詳細な説明】
【技術分野】
【０００１】
本発明は、携帯電話装置、コードレス電話装置やＩＰ電話装置等の電話装置に関する。
【背景技術】
【０００２】
近年では、携帯電話装置から携帯電話の事業者のサーバにアクセスし、携帯電話装置からの遠隔操作により、今月の支払い料金の照会等を行うことが可能である。その手順としては、まず、携帯電話の事業者のサーバへ発呼を行い、続いて音声ガイダンスに従って、ユーザが聞きたい項目に対応する番号を入力し、暗証番号を入力することにより所望の情報を聞くことが可能である。
【０００３】
また、暗証番号等の入力を必要とする例として、プリペイドコールがある。このプリペイドコールでは、発呼者があらかじめプリペイドカードを購入し、発呼を行う際にプリペイドカードを販売している通信事業者に発呼を行い、続いて音声ガイダンスに従って暗証番号を入力、相手先の電話番号を入力、することにより相手先に発呼を行うことができる。
【０００４】
更に、このプリペイドコールに関する技術も公開特許公報において開示されている。例えば特許文献１には、発呼側が通信事業者にダイヤルすると、ＰＢＸが予め登録されている暗証番号等のデータを自動的にダイヤル送信する技術が開示されている。この技術によれば、ユーザが暗証番号等のダイヤル入力する手間が省けるという効果を奏することができる。
【先行技術文献】
【特許文献】
【０００５】
【特許文献１】特開２００４−２３３１３号公報
【発明の概要】
【発明が解決しようとする課題】
【０００６】
しかしながら、特許文献１に記載の技術では、ＰＢＸ側に電話番号を登録するという面倒な操作が必要なだけでなく、ＰＢＸをからめたシステムとなり、コスト高となるといった問題が生じる。
【課題を解決するための手段】
【０００７】
本願発明はこのような課題を解決するためのものであり、端末側だけの制御でユーザに面倒なダイヤル入力操作を強いることなくプリペイドコールや料金の照会といったサービスの恩恵をユーザが受けることを可能にしている。
【０００８】
請求項１に記載の発明は、電話番号に続いてポーズと番号及び／又は記号が入力され、発信操作が行われると、電話番号を回線に送信し、続いて相手先が着信に応答したと判定すると、ポーズに対応する時間の間待機し、続いて前記入力された番号及び／又は記号を送出することを特徴とする。
請求項２に記載の発明は、電話番号に続いてポーズと番号及び／又は記号を記憶可能な記憶手段と、当該記憶手段に記憶された電話番号と番号及び／又は記号を回線へ送出する回線送出手段と、相手先が着信に応答したか否か検出する応答検出手段を有し、前記回線送出手段が前記記憶手段に記憶されている電話番号を送出し、続いて前記応答検出手段が相手先が着信に応答したことを検出すると、前記回線送出手段が、前記記憶手段に記憶されているポーズに対応する時間の経過後に自動的に前記記憶手段に記憶されている番号及び／又は記号を回線へ送出することを特徴とする。
請求項３に記載の発明は、電話番号に続いてポーズと番号及び／又は記号を入力する入力手段と、当該入力手段により入力された電話番号と番号及び／又は記号を回線へ送出する回線送出手段と、相手先が着信に応答したか否か検出する応答検出手段を有し、前記回線送出手段が、前記入力手段により入力された電話番号を送出し、続いて前記応答検出手段が相手先が着信に応答したことを検出すると、前記回線送出手段が、前記入力手段により入力されたポーズに対応する時間の経過後に自動的に前記ポーズに続く番号及び／又は記号を回線へ送出することを特徴とする。
【発明の効果】
【０００９】
本発明によると、電話番号を回線へ送出してから相手先が応答すると、ポーズの個数に対応した時間の間待機し、その待機時間が経過すると自動的にポーズに続いて入力された暗証番号や記号等が回線へ送出されるため、ユーザが一々音声ガイダンスを聞いて番号や記号を入力する手間が省ける。
又、特許文献１に記載の技術に比べ、電話装置の端末側だけの制御でユーザに入力操作の手間を省けさせることが可能であるだけでなく、コストのかかるシステムを別途必要としない。
【図面の簡単な説明】
【００１０】
【図１】本発明の一実施形態に係る電話装置のブロック図である。
【図２】本実施例装置の動作を示すフロー図である。
【発明を実施するための形態】
【００１１】
次に、本発明を適用してなる実施例装置について説明する。尚、本実施例装置では、留守番電話装置について実施したが、コードレス電話装置、携帯電話装置、ＩＰ（Internet Protocol）電話機等でも同様に実施可能である。
【実施例】
【００１２】
図１に示すように、電話装置１０は、電話回線５６が接続された回線制御部１４を備えている。この回線制御部１４は、電話回線５６の開放制御又は閉結制御や着信検出等を行う。この回線制御部１４には、着信時に電話回線５６から送信される発信者電話番号に関する情報を受信するナンバーディスプレイ機能を実現するためのＮＤ部５８が内蔵されている。
また、回線制御部１４には、切替回路２２が接続されている。この切替回路２２には、
増幅回路２４を介して第１スピーカ２６が接続されている。この第１スピーカ２６は、増幅回路２４で増幅された回線制御部１４の電気信号を音声に変換する。この第１スピーカ２６は、ユーザの耳にあてて通話に使用される。
【００１３】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されて回線制御部１４に出力される。
尚、前記第１スピーカ２６とマイクロホン３０とからハンドセット（図示せず）が構成される。
【００１４】
また、切替回路２２には、増幅回路３２を介して第２スピーカ３４が接続されている。この第２スピーカ３４は、増幅回路３２で増幅された回線制御部１４の電気信号を音声に変換する。この第２スピーカ３４は、受話音を周囲の人にも聞かせるための拡声用のスピーカである。また、第２スピーカ３４は、着信報知の鳴動も行う。
【００１５】
この切替回路２２は、回線制御部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００１６】
また、回線制御部１４及び切替回路２２には、制御回路（制御手段）３６がそれぞれ接続されている。この制御回路３６の制御により上述した切替回路２２による切り替えが行われる。
制御回路３６は、ＲＡＭ（Random  Access  Memory）４０と接続されており、ＲＡＭ４０には、着信履歴、発信履歴、電話帳等の情報が格納されている。
ＲＯＭ（Read  Only  Memory）３８には、制御回路３６の動作に必要なシステムプログラムが格納されている。このシステムプログラムは工場出荷時には既に書込まれており、ユーザはこのシステムプログラムを削除、変更することはできない。
【００１７】
また、制御回路３６には、入力部４４が接続されている。この入力部４４は、電話番号等の入力を行うテンキー４８と、各種機能の設定を行う機能キー５４と、着信履歴キー７０等、を有している。
【００１８】
また、制御回路３６には、所定の色のＬＥＤ素子を備えた照明部４６が接続されている。照明部４６のＬＥＤ素子の発光により、ディスプレイ４２が所定の色に施される。
【００１９】
フック検出部５０は、ハンドセットのフック状態を検出する。
【００２０】
バッファ６０は、入力部４４から入力或いは選択された電話番号を一時的に格納する。尚、格納される情報は電話番号だけでなくポーズやアスタリスク、シャープ等の情報も格納可能である。
【００２１】
次に本実施例装置の動作について説明する。図２は本実施例装置の動作を示すフロー図であり、図２のフロー図を用いて説明する。
【００２２】
図２のフロー図において、まずＳ０１ステップでは、入力部から例えば「０８５７１２３４５６ＰＰＰ９０１２＊＃」が入力されると、制御回路３６は、入力された番号をバッファ６０に一時的に格納し、回線制御部１４を制御することにより、入力された番号「０８５７１２３４５６ＰＰＰ９０１２＊＃」のうち電話番号の部分「０８５７１２３４５６」を回線に出力する（Ｓ０２ステップ）。
尚、「０８５７１２３４５６ＰＰＰ９０１２＊＃」の内、「０８５７１２３４５６」は電話料金の通知等を行ってくれる通信事業者の電話番号であり、「９０１２」は電話料金を聴取する際の暗証番号、「＊＃」は暗証番号の入力が終了したことを示す予め通信事業者で取り決められた記号である。又、これらの情報はトーン信号で回線へ送出されるものである。
【００２３】
続くＳ０３ステップでは、制御回路３６は、回線制御部１４から相手先が応答したこと（例えば回線の極性が反転したこと）を示す信号を検出すると、Ｓ０５ステップへ処理を進め、そうでなければＳ０４ステップへ処理を進める。
【００２４】
Ｓ０４ステップでは、制御回路３６は、フック検出部５０からハンドセットがオンフックされたことを示す信号を検出するか、回線制御部１４から回線が断となった（相手先がハンドセットをオンフックした）ことを示す信号を検出すると、処理を終了し、一方、そうでなければＳ０３ステップへ処理を戻す。
【００２５】
Ｓ０５ステップでは、制御回路３６は、バッファ６０に格納されている電話番号の部分「０８５７１２３４５６」に続くＰ（ポーズ）の個数に３秒を掛けた時間、例えば、本実施例ではＰが３個なので３（個）×３（秒）＝９（秒）のカウントを開始する。
【００２６】
Ｓ０６ステップでは、制御回路３６は、Ｓ０５ステップでカウントを開始してから所定時間（例えば９秒）経過したと判定するとＳ０８ステップへ処理を進め、そうでなければＳ０７ステップへ処理を進める。
【００２７】
尚、Ｓ０５ステップからＳ０６ステップの間には、例えば、通信事業者のサーバから「こちらは、○○○株式会社です。月々の電話料金を聞くことができます。まず初めに暗証番号を入力して下さい。」が送信される。
【００２８】
Ｓ０７ステップでは、制御回路３６は、フック検出部５０からハンドセットがオンフックされたことを示す信号を検出するか、回線制御部１４から回線が断となった（相手先がハンドセットをオンフックした）ことを示す信号を検出すると、処理を終了し、一方、そうでなければＳ０６ステップへ処理を戻す。
【００２９】
Ｓ０８ステップでは、バッファ６０に格納されているＰ（ポーズ）に続く番号を回線に送出する。具体的には、回線制御部１４を制御することにより、バッファ６０に格納されている「９０１２＊＃」を回線に送出する。
【００３０】
Ｓ０９ステップでは、制御回路３６は、フック検出部５０からハンドセットがオンフックされたことを示す信号を検出するか、回線制御部１４から回線が断となった（相手先がハンドセットをオンフックした）ことを示す信号を検出すると、処理を終了する。
【００３１】
尚、Ｓ０８ステップからＳ０９ステップの間では、ユーザは通信事業者のサーバから流れてくる音声ガイダンスに従ってダイヤル入力することにより、所望のサービス（例えば電話料金案内）を受けることができる。
【００３２】
以上説明したように本実施例装置では、電話番号を送出し相手先が応答すると、ポーズの個数に応じた時間のカウントを開始し、カウントが終了すると自動的にポーズに続いて入力された番号を回線に送出するため、ユーザが一々ガイダンスを聞きながら暗証番号等を入力する必要がない。
【００３３】
尚、本実施例のほかの実施形態として以下のように行っても良い。
（１）Ｓ０５ステップからＳ０６ステップまでの時間は、ポーズの個数により決定されているが、本実施例では、例えばユーザが通信事業者に電話をかけ、暗証番号の入力ガイダンスが終了するまでの時間を計測し、その計測した時間に合わせてポーズの個数を計算しているが、ユーザが通信事業者に電話をかけると、制御回路３６が回線が接続されてから暗証番号の入力ガイダンスが終了するまでの時間を自動的に計測し、計測した時間或いは対応するポーズの個数を表示する構成としても良い。
（２）回線へ送出する番号「０８５７１２３４５６ＰＰＰ９０１２＊＃」に続いてポーズや番号を更に入力する構成としても良い。例えば、「０８５７１２３４５６ＰＰＰ９０１２＊＃ＰＰＰ１１ＰＰＰ２」という風にしても良い。このような構成とするのは、通信事業者のサービスによっては、例えば、暗証番号の入力後、項目の選択（例えば複数のサービスがあり、１１が電話料金の照会であるとする）を行い、続いて項目の選択（例えば、
電話料金の照会月である２月「２」）を送出する場合があるからである。尚、このポーズの個数分の時間の間に音声ガイダンスが流れる。
（３）本実施例では留守番電話で実施したが、コードレス電話、電話機を有するファクシミリ装置、パーソナルコンピュータ、ＩＰ（Internet Protocol）電話機等でも同様に実施可能である。
【符号の説明】
【００３４】
１０      電話装置
３６      制御回路
４０      ＲＡＭ
４２      ディスプレイ
５０      フック検出部
５６      電話回線
６０      バッファメモリ
【図１】
2010200250.tif 000003
【図２】
2010200250.tif 000004